(57)【要約】  本発明はダウンリンク情報の送信方法及び装置を提供し、ここで、上記送信方法は、ＵＥに送信すべき特定情報を確定することと、ここで、前記特定情報はシステムメッセージ変更情報、ＥＴＷＳ通知情報、ＣＭＡＳ通知情報、ＥＡＢパラメーター変更通知情報の中の少なくとも一つを含み、前記特定情報を所定の方式で前記ＵＥに送信することと、を含み、ここで、前記所定の方式はページングメッセージによって前記特定情報を送信する方式と異なる。本発明で提供する上記技術案によると、既存技術においてＵＥが大量の重複する不必要なページングメッセージ等を受信しなければならない等の技術課題を解決し、ＵＥによる専用情報の受信に対する影響を低減し、大量の重複するページングメッセージの受信によるＵＥエネルギー消費問題を回避できる。
2018506207.tif 000002
【特許請求の範囲】
【請求項１】
ユーザ機器ＵＥに送信すべき、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を確定することと、
ページングメッセージによって前記特定情報を送信する方式と異なる所定の方式で前記特定情報を前記ＵＥに送信することと、を含むダウンリンク情報の送信方法。
【請求項２】
前記所定の方式が、
既存のダウンリンク制御情報ＤＣＩをスケジューリングすることで送信する方式と、
前記特定情報の送信専用のＤＣＩによって送信する方式と、
前記特定情報の送信専用のＤＣＩによってスケジューリングした物理ダウンリンク共有チャネルＰＤＳＣＨ又は物理アップリンク共有チャネルＰＵＳＣＨで送信する方式と、
マスター情報ブロックＭＩＢ情報によって送信する方式と、
前記特定情報の送信専用のチャネルによって送信する方式の中の一つを含む
請求項１に記載の方法。
【請求項３】
既存のＤＣＩをスケジューリングすることで送信する方式が、
ページングメッセージをスケジューリングするＤＣＩによって送信する方式と、
ＵＥ専用データをスケジューリングするＤＣＩによって送信する方式の中の一つを含む
請求項２に記載の方法。
【請求項４】
既存のＤＣＩをスケジューリングすることで送信する方式が、
前記既存のＤＣＩに前記特定情報を乗せるためのフィールドを追加する方式と、
前記既存のＤＣＩ中の特定のフィールドを再定義する方式と、ここで、再定義した後の前記特定のフィールドは前記特定情報を指示し、
前記既存のＤＣＩ中の予備ビット、アイドルビット、特定のフィールドのアイドル状態の中の一つで前記特定情報を指示する方式と、
異なるページング無線網臨時識別子ＰーＲＮＴＩで前記既存のＤＣＩの巡回冗長検査ＣＲＣにスクランブル又はマスクドをかけて異なる前記特定情報を指示する方式の中の一つを含む
請求項２に記載の方法。
【請求項５】
前記特定情報の送信専用のＤＣＩによって送信する方式が、
専用ＰーＲＮＴＩで前記特定情報の送信専用のＤＣＩのＣＲＣにスクランブル又はマスクドをかけて前記特定情報を指示することを含む
請求項２に記載の方法。
【請求項６】
前記特定情報の送信専用のＤＣＩで前記特定情報を送信する場合、前記特定情報の送信専用のＤＣＩに対応するＰＤＳＣＨ又は物理アップリンク共有チャネルＰＵＳＣＨが存在しない
請求項２に記載の方法。
【請求項７】
ＭＩＢ情報によって送信する方式が、
ＭＩＢ中のアイドルビットで前記特定情報を指示する方式と、
ＭＩＢにおいて前記特定情報を指示するためのフィールドを定義する方式と、
ＭＩＢのＣＲＣに異なるシーケンスでスクランブル又はマスクドをかけて異なる前記特定情報を指示する方式の中の一つを含む
請求項２に記載の方法。
【請求項８】
前記システムメッセージ変更情報が、一つ又は複数の動作帯域上のシステムメッセージ変更情報を含む
請求項１乃至７の中のいずれかに記載の方法。
【請求項９】
ユーザ機器ＵＥが、ページングメッセージによって前記特定情報を受信する方式と異なる所定の方式で、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を受信することを含むダウンリンク情報の受信方法。
【請求項１０】
前記所定の方式が、
スケジューリングした既存のダウンリンク制御情報ＤＣＩによって受信する方式と、
前記特定情報の送信専用のＤＣＩで受信する方式と、
前記特定情報の送信専用のＤＣＩによってスケジューリングされた物理ダウンリンク共有チャネルＰＤＳＣＨ又は物理アップリンク共有チャネルＰＵＳＣＨで受信する方式と、
マスター情報ブロックＭＩＢ情報によって受信する方式と、
前記特定情報の送信専用のチャネルで受信する方式の中の一つを含む
請求項９に記載の方法。
【請求項１１】
スケジューリングした既存のＤＣＩで受信する方式が、
スケジューリングしたページングメッセージのＤＣＩで受信する方式と、
ＵＥ専用データをスケジューリングするＤＣＩによって受信する方式の中の一つを含む
請求項１０に記載の方法。
【請求項１２】
ユーザ機器ＵＥに送信すべき、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を確定するように構成される確定手段と、
ページングメッセージによって前記特定情報を送信する方式と異なる所定の方式で、前記特定情報を前記ＵＥに送信するように構成される送信手段と、を含むダウンリンク情報の送信装置。
【請求項１３】
前記送信手段が、
既存のダウンリンク制御情報ＤＣＩをスケジューリングすることで送信する方式と、
前記特定情報の送信専用のＤＣＩによって送信する方式と、
前記特定情報の送信専用のＤＣＩによってスケジューリングした物理ダウンリンク共有チャネルＰＤＳＣＨ又は物理アップリンク共有チャネルＰＵＳＣＨで送信する方式と、
マスター情報ブロックＭＩＢ情報によって送信する方式と、
前記特定情報の送信専用のチャネルによって送信する方式
の中の一つの前記所定の方式で前記特定情報を送信するように構成される
請求項１２に記載の装置。
【請求項１４】
前記送信手段が、
ページングメッセージをスケジューリングするＤＣＩによって送信する方式と、
ＵＥ専用データをスケジューリングするＤＣＩによって送信する方式
の中の一つの方式で既存のＤＣＩをスケジューリングして前記特定情報を送信するように構成される
請求項１３に記載の装置。
【請求項１５】
ユーザ機器ＵＥに応用されるダウンリンク情報の受信装置であって、
ページングメッセージによって前記特定情報を受信する方式と異なる所定の方式で、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を受信するように構成される受信手段を含むダウンリンク情報の受信装置。
【請求項１６】
前記受信手段が、
スケジューリングした既存のダウンリンク制御情報ＤＣＩによって受信する方式と、
前記特定情報の送信専用のＤＣＩで受信する方式と、
前記特定情報の送信専用のＤＣＩによってスケジューリングした物理ダウンリンク共有チャネルＰＤＳＣＨ又は物理アップリンク共有チャネルＰＵＳＣＨで受信する方式と、
マスター情報ブロックＭＩＢ情報によって受信する方式と、
前記特定情報の送信専用のチャネルで受信する方式
の中の一つの前記所定の方式で前記特定情報を受信するように構成される
請求項１５に記載の装置。
【請求項１７】
前記受信手段が、
スケジューリングしたページングメッセージのＤＣＩで受信する方式と、
ＵＥ専用データをスケジューリングするＤＣＩによって受信する方式
の中の一つの方式で、既存のＤＣＩをスケジューリングすることで記特定情報を受信するように構成される
請求項１６に記載の装置。
【発明の詳細な説明】
【技術分野】
【０００１】
本発明は、通信分野に関し、特に、ダウンリンク情報の送信方法及び装置に関する。
【背景技術】
【０００２】
マシン型通信（Ｍａｃｈｉｎｅ  Ｔｙｐｅ  Ｃｏｍｍｕｎｉｃａｔｉｏｎ、ＭＴＣと略称）ユーザ機器（端末Ｕｓｅｒ  Ｅｑｕｉｐｍｅｎｔとも呼ばれる、ＵＥと略称）は、マシンツーマシン（Ｍａｃｈｉｎｅ  ｔｏ  Ｍａｃｈｉｎｅ、Ｍ２Ｍと略称）ユーザ通信機器とも呼ばれ、現在、モノのインターネットの主な応用形態である。
【０００３】
最近、長期的進化（Ｌｏｎｇ−Ｔｅｒｍ  Ｅｖｏｌｕｔｉｏｎ、ＬＴＥと略称）／強化型長期的進化アドバンスシステム（Ｌｏｎｇ−Ｔｅｒｍ  Ｅｖｏｌｕｔｉｏｎ  Ａｄｖａｎｃｅ、ＬＴＥーＡｄｖａｎｃｅ又はＬＴＥーＡと略称）のスペクトル効率が高いので、ますます多くの通信事業者がＬＴＥ／ＬＴＥーＡをブロードバンド無線通信システムの発展方向として選択している。ＬＴＥ／ＬＴＥーＡに基づくＭＴＣ多種類データ業務ももっと目立つことになる。
【０００４】
ＭＴＣ機器は、通常低コストの機器で、支援する高周波（Ｒａｄｉｏ  Ｆｒｅｑｕｅｎｃｙ、ＲＦと略称）帯域幅が小さく、単一受信アンテナ等の特徴を有している。例えば電流計等のＭＴＣ機器は、地下室のメタルキャビネット中に置かれ、カバーが非常に悪く、第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰと略称）は、低コストとカバーの強化が必要であるＭＴＣ  ＵＥに解決案を提供するため、Ｒ１２とＲ１３にプロジェクトを作成した。現在、カバーを強化する解決案として、一部のチャネルを大量に重複することでカバーを向上させている。
【０００５】
既存のＬＴＥシステムにおいて、ページングはアイドル状態と接続状態のＵＥにページングを送信することができる。ページングプロセスは、コアネットワークによりトリガーして、あるＵＥにページング要求を受信することを通知することができ、又は進化型ノードＢ（Ｅｖｏｌｖｅｄ  Ｎｏｄｅ  Ｂ、ｅＮＢと略称）によりトリガーし、システム情報の更新を通知し、ＵＥに地震、津波警報システム（Ｅａｒｔｈｑｕａｋｅ  ａｎｄ  Ｔｓｕｎａｍｉ  ｗａｒｎｉｎｇ  Ｓｙｓｔｅｍ、ＥＴＷＳと略称）又は商業移動警報サービス（Ｃｏｍｍｅｒｃｉａｌ  Ｍｏｂｉｌｅ  Ａｌｅｒｔ  Ｓｅｒｖｉｃｅ、ＣＭＡＳと略称）等の情報を受信することを通知することもできる。ページングの目的は、以下である：
ページング情報（ｐａｇｉｎｇ  ｉｎｆｏｒｍａｔｉｏｎ）を無線リソース制御（Ｒａｄｉｏ  Ｒｅｓｏｕｒｃｅ  Ｃｏｎｔｒｏｌ、ＲＲＣと略称）アイドル状態のＵＥに送信すること、ここでのページング情報は前記ＲＲＣアイドル状態のＵＥが呼出される情報を指し、
ＲＲＣ接続状態／アイドル状態のＵＥにシステムメッセージの変更を通知すること、
ＵＥにＥＴＷＳメイン通知、補助通知に関する情報を通知すること、
ＵＥにＣＭＡＳ通知に関する情報を通知すること。
【０００６】
ページングメッセージ（ｐａｇｉｎｇ  ｍｅｓｓａｇｅ）は共通情報で、ページングサブフレームで送信され、上述した全ての情報、即ちシステムメッセージ変更情報、ＥＴＷＳ通知情報、ＣＭＡＳ通知情報、又はこれらの情報のサブ集合（前記ページングサブフレームで送信する必要があれば）を含む可能性がある。ページングメッセージを受信する前、端末はまず物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称）をモニターし、その後、ＰＤＣＣＨチャネルにページング無線網臨時識別子（Ｐａｇｉｎｇ  Ｒａｄｉｏ  Ｎｅｔｗｏｒｋ  Ｔｅｍｐｏｒａｒｙ  Ｉｄｅｎｔｉｆｉｅｒ、ＰーＲＮＴＩと略称）が乗せられたか否化に基づいて、ネットワークが今回のページング周期にてページングメッセージを送信したか否かを判断しなければならなく、ＰーＲＮＴＩが検出されると、ページングメッセージを受信する。ＲＲＣ接続状態のＵＥの場合、ｅＮＢがそれにページング情報を送信することはなく、システムメッセージ変更情報、ＥＴＷＳ通知情報、ＣＭＡＳ通知情報を受信すればよく、一方、受信する場合、ＵＥはページングメッセージ全体を受信しなければならない。
【０００７】
カバーの強化が必要である接続状態のＵＥは、ページングメッセージを正確に受信するため、ＵＥは大量の重複するページングメッセージをスケジューリングするための制御情報と大量の重複するページングメッセージ自体を受信しなければならなく、これにより、ＲＦ狭帯域のみを支援するＭＴＣ  ＵＥの場合、専用情報の受信が影響を受けることになる。一方、専用情報を他の狭帯域で送信すると、ＭＴＣ  ＵＥの省エネにも不利である。ページングメッセージにブラインド転送方式を応用しても、即ち制御情報でスケジューリングしない場合であっても、ページングメッセージ自体が多くの情報を含み、転送ブロックのサイズ（Ｔｒａｎｓｍｉｓｓｉｏｎ−Ｂｌｏｃｋ  Ｓｉｚｅ、ＴＢＳと略称）が大きいので、依然として大量の重複するページングメッセージを受信しなければならない。
【０００８】
既存技術における上記問題について、未だに有効な解決案を提示していない。
【発明の概要】
【発明が解決しようとする課題】
【０００９】
本発明の実施例は、少なくとも既存技術においてＵＥが大量の重複する不必要なページングメッセージ等を受信しなければならない等の技術課題を解決できるダウンリンク情報の送信方法及び装置を提供する。
【課題を解決するための手段】
【００１０】
本発明の一実施例によると、ユーザ機器ＵＥに送信すべき、システムメッセージ変更情報、地震や津波警報システムＥＴＷＳ通知情報、商業移動警報サービスＣＭＡＳ通知情報、拡張アクセス制御（Ｅｘｔｅｎｄｅｄ  Ａｃｃｅｓｓ  Ｂａｒｒｉｎｇ、ＥＡＢと略称）パラメーター変更通知情報の中の少なくとも一つを含む特定情報を確定することと、ページングメッセージによって前記特定情報を送信する方式と異なる所定の方式で前記特定情報を前記ＵＥに送信することと、を含むダウンリンク情報の送信方法を提供する。
【００１１】
本発明の一可能な実施例において、前記所定の方式は、既存のダウンリンク制御情報ＤＣＩをスケジューリングすることで送信する方式と、前記特定情報の送信専用のＤＣＩによって送信する方式と、前記特定情報の送信専用のＤＣＩによってスケジューリングした物理ダウンリンク共有チャネルＰＤＳＣＨ又は物理アップリンク共有チャネルＰＵＳＣＨで送信する方式と、マスター情報ブロック（Ｍａｓｔｅｒ  Ｉｎｆｏｒｍａｔｉｏｎ  Ｂｌｏｃｋ、ＭＩＢと略称）情報によって送信する方式と、前記特定情報の送信専用のチャネルによって送信する方式の中の一つを含む。
【００１２】
本発明の一可能な実施例において、既存のＤＣＩをスケジューリングすることで送信する方式は、ページングメッセージをスケジューリングするＤＣＩによって送信する方式と、ＵＥ専用データをスケジューリングするＤＣＩによって送信する方式の中の一つを含む。
【００１３】
本発明の一可能な実施例において、既存のＤＣＩをスケジューリングすることで送信する方式は、前記既存のＤＣＩに前記特定情報を乗せるためのフィールドを追加する方式と、前記既存のＤＣＩ中の特定のフィールドを再定義する方式と、ここで、再定義した後の前記特定のフィールドは前記特定情報を指示し、前記既存のＤＣＩ中の予備ビット、アイドルビット、特定のフィールドのアイドル状態の中の一つで前記特定情報を指示する方式と、異なるページング無線網臨時識別子ＰーＲＮＴＩで前記既存のＤＣＩの巡回冗長検査ＣＲＣにスクランブル又はマスクドをかけて異なる前記特定情報を指示する方式の中の一つを含む。
【００１４】
本発明の一可能な実施例において、前記特定情報の送信専用のＤＣＩによって送信する方式は、専用ＰーＲＮＴＩで前記特定情報の送信専用のＤＣＩのＣＲＣにスクランブル又はマスクドをかけて前記特定情報を指示することを含む。
【００１５】
本発明の一可能な実施例において、前記特定情報の送信専用のＤＣＩで前記特定情報を送信する場合、前記特定情報の送信専用のＤＣＩに対応するＰＤＳＣＨ又は物理アップリンク共有チャネルＰＵＳＣＨが存在しない。
【００１６】
本発明の一可能な実施例において、ＭＩＢ情報によって送信する方式は、ＭＩＢ中のアイドルビットで前記特定情報を指示する方式と、
ＭＩＢにおいて前記特定情報を指示するためのフィールドを定義する方式と、ＭＩＢのＣＲＣに異なるシーケンスでスクランブル又はマスクドをかけて異なる前記特定情報を指示する方式の中の一つを含む。
【００１７】
本発明の一可能な実施例において、前記システムメッセージ変更情報は、一つ又は複数の動作帯域上のシステムメッセージ変更情報を含む。
【００１８】
本発明の他の一実施例によると、ＵＥが、ページングメッセージによって前記特定情報を受信する方式と異なる所定の方式で、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を受信することを含むダウンリンク情報の受信方法を提供する。
【００１９】
本発明の一可能な実施例において、前記所定の方式は、スケジューリングした既存のダウンリンク制御情報ＤＣＩによって受信する方式と、前記特定情報の送信専用のＤＣＩで受信する方式と、前記特定情報の送信専用のＤＣＩによってスケジューリングされた物理ダウンリンク共有チャネルＰＤＳＣＨ又は物理アップリンク共有チャネルＰＵＳＣＨで受信する方式と、ＭＩＢ情報によって受信する方式と、前記特定情報の送信専用のチャネルで受信する方式の中の一つを含む。
【００２０】
本発明の一可能な実施例において、スケジューリングした既存のＤＣＩで受信する方式が、スケジューリングしたページングメッセージのＤＣＩで受信する方式と、ＵＥ専用データをスケジューリングするＤＣＩによって受信する方式の中の一つを含む。
【００２１】
本発明の他の一実施例によると、ユーザ機器ＵＥに送信すべき、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を確定するように構成される確定手段と、ページングメッセージによって前記特定情報を送信する方式と異なる所定の方式で、前記特定情報を前記ＵＥに送信するように構成される送信手段と、を含むダウンリンク情報の送信装置を提供する。
【００２２】
本発明の一可能な実施例において、前記送信手段は、既存のダウンリンク制御情報ＤＣＩをスケジューリングすることで送信する方式と、前記特定情報の送信専用のＤＣＩによって送信する方式と、前記特定情報の送信専用のＤＣＩによってスケジューリングした物理ダウンリンク共有チャネルＰＤＳＣＨ又は物理アップリンク共有チャネルＰＵＳＣＨで送信する方式と、マスター情報ブロックＭＩＢ情報によって送信する方式と、前記特定情報の送信専用のチャネルによって送信する方式の中の一つの前記所定の方式で前記特定情報を送信するように構成される。
【００２３】
本発明の一可能な実施例において、前記送信手段は、ページングメッセージをスケジューリングするＤＣＩによって送信する方式と、ＵＥ専用データをスケジューリングするＤＣＩによって送信する方式の中の一つの方式で既存のＤＣＩをスケジューリングして前記特定情報を送信するように構成される。
【００２４】
本発明の他の一実施例によると、ＵＥに応用されるダウンリンク情報の受信装置であって、ページングメッセージによって前記特定情報を受信する方式と異なる所定の方式で、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を受信するように構成される受信手段を含むダウンリンク情報の受信装置を提供する。
【００２５】
本発明の一可能な実施例において、前記受信手段は、スケジューリングした既存のＤＣＩによって受信する方式と、前記特定情報の送信専用のＤＣＩで受信する方式と、前記特定情報の送信専用のＤＣＩによってスケジューリングした物理ダウンリンク共有チャネルＰＤＳＣＨ又は物理アップリンク共有チャネルＰＵＳＣＨで受信する方式と、ＭＩＢ情報によって受信する方式と、前記特定情報の送信専用のチャネルで受信する方式の中の一つの前記所定の方式で前記特定情報を受信するように構成される。
【００２６】
本発明の一可能な実施例において、前記受信手段は、スケジューリングしたページングメッセージのＤＣＩで受信する方式と、ＵＥ専用データをスケジューリングするＤＣＩによって受信する方式の中の一つの方式で、既存のＤＣＩをスケジューリングすることで記特定情報を受信するように構成される。
【発明の効果】
【００２７】
本発明の実施例によると、ページングメッセージによって前記特定情報を送信する送信方式と異なる所定の方式で、既存技術においてＵＥに送信すべき特定情報を送信する技術案を用いることで、既存技術においてＵＥが大量の重複する不必要なページングメッセージ等を受信しなければならない等の技術課題を解決し、ＵＥによる専用情報の受信に対する影響を低減し、大量の重複するページングメッセージの受信によるＵＥエネルギー消費問題を回避できる。
【図面の簡単な説明】
【００２８】
ここで説明する図面は本発明を一層理解させるためのもので、本願の一部を構成し、本発明に示す実施例及びその説明は本発明を解釈するもので、本発明を限定するものではない。
【図１】本発明の実施例に係わるダウンリンク情報の送信方法を示すフローチャートである。
【図２】本発明の実施例に係わるダウンリンク制御情報の送信装置の構造を示すブロック図である。
【発明を実施するための形態】
【００２９】
以下、図面を参照し、実施例を結合入て本発明を詳しく説明する。尚、矛盾しない限り、本願の実施例及び実施例中の特徴を組み合せすることができる。
【００３０】
カバーを強化する必要のある接続状態のＵＥの場合、ページングメッセージを正確に受信するため、ＵＥは大量の重複するページングメッセージをスケジューリングする制御情報と、大量の重複するページングメッセージ自体を受信しなければならなく、ＲＦ狭帯域のみを支援するＭＴＣ  ＵＥの場合、専用情報の受信が影響を受けることになり、専用情報を他の狭帯域で送信すると、ＭＴＣ  ＵＥの省エネにも不利である。ページングメッセージにブラインド転送方式を応用しても、即ち制御情報でスケジューリングしない場合であっても、ページングメッセージ自体が多くの情報を含み、ＴＢＳが大きいので、依然として大量の重複するページングメッセージを受信しなければならない。当該問題を解決するため、本発明の実施例は、接続状態のＵＥ（しかし、当該状態のＵＥに限られることはない）のためにページングの方式を再定義する。以下、詳しく説明する。
【００３１】
図１は本発明の実施例に係わるダウンリンク情報の送信方法を示すフローチャートでである。図１に示すように、当該方法はステップＳ１０２〜Ｓ１０４を含む。
【００３２】
ステップＳ１０２において、ＵＥに送信すべき特定情報を確定し、ここで、上記特定情報は、システムメッセージ変更情報、ＥＴＷＳ通知情報、ＣＭＡＳ通知情報、ＥＡＢパラメーター変更通知情報の中の少なくとも一つを含む。
【００３３】
ステップＳ１０４において、上記特定情報を所定の方式で上記ＵＥに送信し、ここで、上記所定の方式はページングメッセージによって上記特定情報を送信する方式と異なる。
【００３４】
上記各ステップによると、既存技術においてページングメッセージによってＵＥに送信すべき特定情報をページングメッセージによって上記特定情報を送信する方式と異なる方式で上記特定情報を送信するので、ＵＥが大量の重複する不必要ページングメッセージを受信しなければならない等の技術課題を解決し、ＵＥによる専用情報の受信に対する影響を低減し、大量の重複するページングメッセージの受信によるＵＥエネルギー消費問題を回避できる。
【００３５】
一好適な実施例において、上記所定の方式は以下の方式の中の一つを含むがこれに限定されることはない：
既存のＤＣＩをスケジューリングすることで送信する方式。ここで、既存のＤＣＩをスケジューリングすることで送信する方式は、ページングメッセージをスケジューリングするＤＣＩによって送信する方式と、ＵＥ専用データをスケジューリングするＤＣＩによって送信する方式の中の一つを含み、当該既存のＤＣＩを既存の通信標準に係わっているＤＣＩと理解することができる。
【００３６】
上記特定情報の送信専用のＤＣＩによって送信する方式。一好適な実施例において、専用ＰーＲＮＴＩで前記特定情報の送信専用のＤＣＩのＣＲＣにスクランブル又はマスクドをかけて前記特定情報を指示する。上記特定情報の送信専用のＤＣＩで上記特定情報を送信する場合、上記特定情報の送信専用のＤＣＩには対応するＰＤＳＣＨ又はＰＵＳＣＨが存在しない。ここで、専用ＰーＲＮＴＩを、ページングメッセージを指示するＰーＲＮＴＩと異なるＰーＲＮＴＩと理解することができ、上記特定情報の送信専用のＤＣＩにＣＲＣスクランブル又はマスクドをかけて上記特定情報を指示するＰーＲＮＴＩと理解することもできる。
【００３７】
上記特定情報の送信専用のＤＣＩによりスケジューリングしたＰＤＳＣＨ又はＰＵＳＣＨによって送信する方式。
【００３８】
ＭＩＢ情報によって送信する方式。一好適な実施形態において、ＭＩＢ中のアイドルビットで上記特定情報を指示する方式、ＭＩＢにおいて上記特定情報を指示するためのフィールドを定義する方式、ＭＩＢのＣＲＣコードに異なるシーケンスでスクランブル又はマスクドをかけることで異なる上記特定情報を指示する方式で実現することができるが、これらに限定されることはない。
【００３９】
上記特定情報の送信専用のチャネルによって送信する方式。
【００４０】
本実施例の一好適な実施形態において、既存のＤＣＩをスケジューリングすることで送信する方式を、
上記既存のＤＣＩに上記特定情報を乗せるためのフィールドを追加する方式と、
上記既存のＤＣＩ中の特定のフィールドを再定義する方式と、ここで、再定義した後の上記特定のフィールドは上記特定情報を指示し、
上記既存のＤＣＩ中の予備ビット、アイドルビット、特定のフィールドのアイドル状態の中の一つで上記特定情報を指示する方式と、
異なるＰーＲＮＴＩで上記既存のＤＣＩのＣＲＣコードにスクランブル又はマスクドをかけることで異なる上記特定情報を指示する方式の中の一つの方式で実現することができるが、これらに限定されることはない。
【００４１】
上記システムメッセージ変更情報は、一つ又は複数の動作帯域上のシステムメッセージ変更情報を含むことができる。
【００４２】
本実施例において、上記方法を実現するためのダウンリンク情報の送信装置を更に提供し、図２に示すように、該装置は、
ページングメッセージによってユーザ機器ＵＥに送信すべき特定情報を確定するように構成される確定手段２０と、ここで、前記特定情報はシステムメッセージ変更情報、地震や津波警報システムＥＴＷＳ通知情報、商業移動警報サービスＣＭＡＳ通知情報、ＥＡＢパラメーター変更通知情報の中の少なくとも一つを含み、
前記特定情報を所定の方式で前記ＵＥに送信するように構成される送信手段２２と、を含み、ここで、前記所定の方式はページングメッセージによって前記特定情報を送信する方式と異なる。
【００４３】
本発明の一可能な実施例において、送信手段２２は、既存のダウンリンク制御情報ＤＣＩをスケジューリングすることで送信する方式と、前記特定情報の送信専用のＤＣＩによって送信する方式と、前記特定情報の送信専用のＤＣＩによりスケジューリングしたＰＤＳＣＨ又はＰＵＳＣＨによって送信する方式と、ＭＩＢ情報によって送信する方式と、前記特定情報の送信専用のチャネルによって送信する方式の中の一つの前記所定の方式で前記特定情報を送信するように構成される。
【００４４】
尚、上記各手段はソフトウェア又はハートウェアで実現することができ、後方の場合、確定手段２０と送信手段２２を同一のプロセッサに設けるか、又は、確定手段２０と送信手段２２をそれぞれ第１のプロセッサと第２のプロセッサに設けることができるが、これらに限定されることはない。
【００４５】
本発明の実施例はＵＥ側も改善していて、本発明の実施例で提供するダウンリンク情報の受信方法はＵＥが所定の方式で特定情報を受信することを含む。
【００４６】
ここで、前記特定情報は、システムメッセージ変更情報、地震や津波警報システムＥＴＷＳ通知情報、商業移動警報サービスＣＭＡＳ通知情報、ＥＡＢパラメーター変更通知情報の中の少なくとも一つを含み、前記所定の方式はページングメッセージによって前記特定情報を受信する方式と異なる。
【００４７】
本発明の一可能な実施例において、前記所定の方式は、スケジューリングした既存のダウンリンク制御情報ＤＣＩによって受信する方式と、前記特定情報の送信専用のＤＣＩで受信する方式と、前記特定情報の送信専用のＤＣＩによりスケジューリングしたＰＤＳＣＨ又はＰＵＳＣＨで受信する方式と、ＭＩＢ情報によって受信する方式と、前記特定情報の送信専用のチャネルで受信する方式の中の一つを含む。
【００４８】
本発明の一可能な実施例において、スケジューリングした既存のＤＣＩで受信する方式は、スケジューリングしたページングメッセージのＤＣＩで受信する方式と、ＵＥ専用データをスケジューリングするＤＣＩで受信する方式の中の一つを含む。
【００４９】
本発明の実施例は、ＵＥに応用されるダウンリンク情報の受信装置を更に提供し、所定の方式で特定情報を受信するように構成された受信手段を含み、ここで、前記特定情報はシステムメッセージ変更情報、ＥＴＷＳ通知情報、ＣＭＡＳ通知情報、ＥＡＢパラメーター変更通知情報の中の少なくとも一つを含み、前記所定の方式はページングメッセージによって前記特定情報を受信する方式と異なる。
【００５０】
本発明の一可能な実施例において、前記受信手段は、
スケジューリングした既存のダウンリンク制御情報ＤＣＩによって受信する方式と、ここでの既存のＤＣＩは関連技術に既に存在するＤＣＩであって、
前記特定情報の送信専用のＤＣＩで受信する方式と、
前記特定情報の送信専用のＤＣＩによりスケジューリングしたＰＤＳＣＨ又はＰＵＳＣＨで受信する方式と、
マスター情報ブロックＭＩＢ情報によって受信する方式と、
前記特定情報の送信専用のチャネルで受信する方式の中の一つの所定の方式で前記特定情報を受信するように構成される。
【００５１】
一好適な実施形態において、受信手段は、スケジューリングしたページングメッセージのＤＣＩで受信する方式と、ＵＥ専用データをスケジューリングするＤＣＩで受信する方式の中の一つの方式で既存のＤＣＩをスケジューリングして前記特定情報を受信するように構成される。
【００５２】
上述したように、本実施例における上記各手段はソフトウェアで実現することができれば、対応するハートウェアによって実現することもでき、後方の場合、上記受信手段をプロセッサに設けることで実現することができるが、これに限定されることはない。
【００５３】
上記実施例を一層理解するように、以下、好適な実施例を結合して詳しく説明する。尚、以下の実施例中の特定情報の定義について、システムメッセージ変更情報、ＥＴＷＳ通知情報、ＣＭＡＳ通知情報、ＥＡＢパラメーター変更通知情報の中の一つ又は複数を特定情報と定義することができる。
【００５４】
実施例１
ページングメッセージをスケジューリングするＤＣＩに特定情報を含む。
【００５５】
ページングメッセージをスケジューリングするＤＣＩに特定情報を指示するフィールドを追加する。又は、前記ＤＣＩ中の一部のフィールドを再定義して特定情報を指示し、例えば、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱと略称）プロセス指示フィールドを、特定情報を指示するフィールドと再定義することができる。又は、ページングメッセージをスケジューリングするＤＣＩ中の予備ｂｉｔ又はアイドルｂｉｔ又は一部のフィールドのアイドル状態で指示することもでき、例えばＤＣＩ  ｆｏｒｍａｔ  １Ａ中の予備ｂｉｔで指示し、又はＨＡＲＱプロセス番号指示フィールド（３  ｂｉｔ）、又はＰＵＣＣＨの転送電力制御（Ｔｒａｎｓｍｉｓｓｉｏｎ  Ｐｏｗｅｒ  Ｃｏｎｔｒｏｌ、ＴＰＣと略称）命令フィールドの上位ｂｉｔ（１  ｂｉｔ）等、又はＭＣＳドメインの予備状態で指示することができ、実際の応用においてはこれらに限定されることはない。以下、具体的な指示例を説明する。３ｂｉｔの情報でそれぞれ、システムメッセージ変更情報、ＥＴＷＳ通知情報、ＣＭＡＳ通知情報があるか否かを指示することができ、例えば、一番目のｂｉｔが「１」であると、システムメッセージが変更されたことを表し、「０」であるとシステムメッセージが変更ないことを表し、二番目のｂｉｔが「１」であると、ｅＮＢがＥＴＷＳメッセージ、即ちシステム情報ブロック（Ｓｙｓｔｅｍ  Ｉｎｆｏｒｍａｔｉｏｎ  Ｂｌｏｃｋ、ＳＩＢと略称）１０及び／又はＳＩＢ１１を送信しようとしていることを表し、「０」であるとｅＮＢがＥＴＷＳメッセージを送信しないことを表し、三番目のｂｉｔが「１」であると、ｅＮＢがＣＭＡＳメッセージ、即ちＳＩＢ１２を送信しようとすることを表し、「０」であるとｅＮＢがＣＭＡＳメッセージを送信しないことを表すことができる。３ｂｉｔが「１００」であると、システムメッセージが変更し、且つｅＮＢがＥＴＷＳとＣＭＡＳメッセージを送信しないことを表し、ＵＥが該情報を受信した後、システムメッセージは受信するが、ＥＴＷＳに対応するＳＩＢ１０とＳＩＢ１１及びＣＭＡＳに対応するＳＩＢ１２は受信しない。実際の応用においてはこれらに限定されることがない。ＵＥ又はｅＮＢがＥＴＷＳ及び／又はＣＭＡＳを支援しないと、これらの情報を含まなくてもよい。例えば、ＵＥ又はｅＮＢが当該二つの機能を全て支援しないと、一つのｂｉｔでシステムメッセージの変更があるか否かを表すればよい。前記ＤＣＩがスケジューリングしたページングメッセージ中のシステムメッセージ変更情報、ＥＴＷＳ通知情報、ＣＭＡＳ通知情報は保留することができれば、除去することもでき、本実施例において限定しない。
【００５６】
更に、特定情報中のシステム変更情報は、一つ又は複数の動作帯域上のシステムメッセージ変更情報であることができ、本発明の一可能な実施例において、一つ又は複数の動作帯域は一つ又は複数のＭＴＣ  ＵＥの動作狭帯域である。システム帯域幅に複数の動作狭帯域があって、複数の狭帯域にいずれも対応するシステム情報（システム情報が位置する狭帯域数は総動作狭帯域数以下である）があると、複数の狭帯域上のシステムメッセージが変更されたか否かを指示しなければならない。１ｂｉｔで複数の狭帯域上のシステムメッセージが変更されたか否かを表すことができ、例えば全ての狭帯域上のシステムメッセージが全部変更していないと、「０」で表し、そうでないと、「１」で表すことができる。そして、複数のｂｉｔでそれぞれ複数の狭帯域上のシステムメッセージが変更されたか否かを表すこともできる。例えば、システムに５個の動作狭帯域があって、各動作狭帯域にいずれもシステム情報があると、５ｂｉｔでこれらの狭帯域上のシステムメッセージが変更されたか否かを表すことができる。又は、５個の動作狭帯域において、二つの狭帯域のみにシステム情報があると、２ｂｉｔで当該二つの狭帯域上のシステムメッセージが変更されたか否かを表すことができる。又は、５個の動作狭帯域において、各動作狭帯域にいずれもシステム情報があるが、その中の３個の狭帯域上のシステムメッセージが完全に同一で、他の二つの狭帯域上のシステムメッセージが完全に同一であると、２ｂｉｔで２種類のシステムメッセージが変更されたか否かを表すことができる。
【００５７】
システム帯域幅に複数の動作狭帯域がある場合、ＵＥに複数の動作狭帯域上の特定情報を指示することもでき、特定情報を３ｂｉｔで指示すると、５個の動作狭帯域上の特定情報を指示するに３×５＝１５個のｂｉｔが必要であって、実際の応用においてはこのような指示方式に限定されない。
【００５８】
接続状態のＵＥの場合、ページングメッセージをスケジューリングするＤＣＩのみを受信し、該ＤＣＩから上記特定情報を取得することができ、前記ＤＣＩによりスケジューリングしたページングメッセージを受信してから上記特定情報を取得する必要がない。
【００５９】
実施例２
ＵＥの専用データをスケジューリングするＤＣＩにおいて特定情報を指示し、即ち、ＵＥをスケジューリングしてＰＵＳＣＨを送信したり又はＰＤＳＣＨを受信するＤＣＩにおいて指示し、これにより、ｅＮＢはＵＥをスケジューリングしてデータを送信／受信する場合、特定情報をＵＥに通知する。例えば、ＵＥの専用データをスケジューリングするＤＣＩに特定情報を指示するフィールドを追加し、又は一部の予備ｂｉｔ又はアイドルｂｉｔ又は一部のフィールドのアイドル状態で指示し、又は一部の既存のフィールドを再定義して指示する。上述したＤＣＩはいずれのフォーマットのＤＣＩであることもでき、例えばｆｏｒｍａｔ１Ａのような一部のフォーマットのＤＣＩであることもできる。指示方法は実施例１に類似する。
【００６０】
ＵＥは、前記ＵＥをスケジューリングするＤＣＩを受信した後、前記フィールドに基づいて特定情報を取得する。例えば、３ｂｉｔ情報でそれぞれシステムメッセージ変更情報、ＥＴＷＳ通知情報、ＣＭＡＳ通知情報の有無を表していると、ＵＥは受信した前記フィールドが「０００」であると、システムメッセージが変更されていないことを表し、そのｅＮＢはＥＴＷＳとＣＭＡＳメッセージを送信することがなく、ＵＥはシステムメッセージ及びＳＩＢ１０〜１２を受信することがない。実際の応用においてはこれらに限定されない。
【００６１】
実施例３
異なるＰーＲＮＴＩで特定情報を通知する。即ち、ページングメッセージをスケジューリングするＤＣＩのＣＲＣ又はＵＥの専用データをスケジューリングするＤＣＩのＣＲＣに異なるＰーＲＮＴＩによってスクランブル又はマスクドをかけて特定情報を表す。実施例１に類似して、システム情報は複数の狭帯域上のシステム情報であることができる。前記ＤＣＩによりスケジューリングしたページングメッセージ中のシステムメッセージ変更情報、ＥＴＷＳ通知情報、ＣＭＡＳ通知情報を保留することができれば、除去することもでき、本発明の実施例は限定しない。
【００６２】
ＵＥ又はｅＮＢがＥＴＷＳ及び／又はＣＭＡＳは支援する必要がなく、システムメッセージ変更のみを支援すると、ＰーＲＮＴＩ＿１でページングメッセージをスケジューリングするＤＣＩのＣＲＣにスクランブル又はマスクドをかけてシステムメッセージが変更されていないことを表すことができ、ＰーＲＮＴＩ＿２でページングメッセージをスケジューリングするＤＣＩのＣＲＣにスクランブル又はマスクドをかけてシステムメッセージが変更されたことを表すことができる。ＵＥは、ＤＣＩのＣＲＣにそれぞれ、ＰーＲＮＴＩ＿１とＰーＲＮＴＩ２でデスクランブル又はアンマスクドして、ＣＲＣ検査を行って、どのＰーＲＮＴＩを利用したかを判断して、システム情報が変更されたか否かを確定することができる。本実施例において、スクランブル又はマスクドをかける方式は、ビット位に排他的演算を行う方式とすることができ、例えばＰーＲＮＴＩが１６ビットで、ＣＲＣも１６ビットで、両方の対応する位置のｂｉｔ間で排他的演算を行うと、例えばＰーＲＮＴＩが「００００１１０１００００１１１１」で、ＣＲＣが「１１１１００１１１１１１００１１」であると、当該ＰーＲＮＴＩで該ＣＲＣにスクランブルをかけた後に「１１１１１１１０１１１１１１００」を得ることができる。受信側は、スクランブルのかけられた後のＣＲＣをＰーＲＮＴＩとビット毎に排他的に演算すると、ＣＲＣを得ることができる。実際の応用においてはこのようなスクランブル又はマスクドをかける方式に限定されない。
【００６３】
実施例４
専用のＤＣＩを再定義して特定情報を通知する。該ＤＣＩのＣＲＣは専用のＰーＲＮＴＩでスクランブル又はマスクドをかける（即ち、専用のＰーＲＮＴＩでスクランブル又はマスクドをかける）。該ＤＣＩは対応するスケジューリングされたＰＤＳＣＨ又はＰＵＳＣＨがない。例えば、システムメッセージ変更情報、通知情報、ＣＭＡＳ通知情報を通知する必要があって、システムメッセージ変更情報が１ｂｉｔで、ＥＴＷＳ通知情報が１ｂｉｔで、ＣＭＡＳ通知情報が１ｂｉｔであると、当該ＤＣＩにおいて３ｂｉｔでこれらの情報を指示する。前記ＤＣＩは３ｂｉｔの有用情報のみであることができ、又は一部の冗長性ｂｉｔがあることもでき、冗長性ｂｉｔは定義していなく、又はこれらの冗長性ｂｉｔで一部の他の共通情報を指示することもでき、本発明の実施例において限定しない。更に、ＵＥのブラインド検出回数を低減するため、前記ＤＣＩのサイズ（ｓｉｚｅ）は既存の一部のＤＣＩと同じであることができ、例えばｆｏｒｍａｔ  １Ｃと同じであることができる。前記ＤＣＩを一部の予め設定されたサブフレームで送信されることができ、セルのページングタイミングで送信することもできる。
【００６４】
接続状態のＵＥは、前記予め設定されたサブフレーム又はセルのページングタイミングで前記ＰーＲＮＴＩスクランブル又はマスクドのかけられたＤＣＩを検出し、ＤＣＩのコンテンツに基づいて、上記特定情報を得る。本実施例において、スクランブル又はマスクドをかける方式として、ビット位に排他的演算を行う方式を用いることができるが、これに限定されることはない。
【００６５】
実施例５
一つの専用ＤＣＩ（即ち、上記特定情報の送信専用のＤＣＩ）によりスケジューリングしたＰＤＳＣＨ又はＰＵＳＣＨによって上記特定情報を送信し、前記専用ＤＣＩのＣＲＣに専用のＰーＲＮＴＩでスクランブル又はマスクドをかけ、上述したＤＣＩは既存のＤＣＩフォーマットを用いることができ、例えばｆｏｒｍａｔ  １Ｃを用いることができ、又はＤＣＩフォーマットを新しく定義することもできる。上述した専用ＤＣＩによりスケジューリングしたＰＤＳＣＨのＴＢＳとしては、既存のＴＢＳを利用することができ、又は再定義することもでき、本発明の実施例において限定しない。このようにすると、一層多いリソースでパケットを転送することができ、コードレートも低く、ＵＥが特定情報を高速に取得できる。前記専用ＤＣＩ及びスケジューリングしたＰＤＳＣＨを一部の予め設定されたサブフレームで送信することができ、又はセルのページングタイミングで送信することもできる。
【００６６】
接続状態のＵＥは、前記予め設定されたサブフレーム又はセルのページングタイミングにおいて、前記ＰーＲＮＴＩでスクランブル又はマスクドのかけられた専用ＤＣＩを検出し、ＤＣＩに基づいて、スケジューリングしたＰＤＳＣＨに含まれた上記特定情報を取得する。本実施例において、スクランブル又はマスクドをかける方式は、ビット位毎に排他的演算を行う方式を用いることができるが、これに限定されることはない。
【００６７】
実施例６
ＭＩＢにおいて特定情報を指示する。前記ＭＩＢは既存のＭＩＢであることができ、例えばＭＩＢにおけるアイドルの１０  ｂｉｔ中の幾つかのｂｉｔで特定情報を指示することができ、ＭＩＢ中のこれらの指示情報は１周期内では不変であって、例えば１ページング周期内において不変であって、又はページング周期に限定されることはなく、新しく定義した周期値であることもできる。
【００６８】
又は、一つのＭＩＢを新しく定義し、新しいＭＩＢにおいて特定情報を指示する一つのフィールドを定義することができる。前記情報ＭＩＢ中の前記フィールドは１周期内で不変であって、例えば１ページング周期内で不変であって、又はページング周期に限定されることはなく、新しく定義された周期値であることもできる。又は、前記新しいＭＩＢのＣＲＣに異なるスクランブラーでスクランブル又はマスクドをかけて、特定情報を指示することができ、上述したスクランブラーは一つのページング周期内で不変であって、又はページング周期に限定されず、新しく定義した周期値であることもできる。本実施例において、スクランブル又はマスクドをかける方式は、ビット毎に排他的演算を行う方式を用いることができるが、これに限定されることはない。
【００６９】
接続状態のＵＥは、前記周期内でＭＩＢを少なくとも１回受信して、特定情報を取得する。
【００７０】
実施例７
一つの専用チャネル（即ち、前記特定情報の送信専用のチャネル）を新しく定義し、前記専用チャネルで特定情報を転送する。前記チャネルを予め設定されたサブフレームの予め設定されたシンボル及び予め設定された周波数領域位置で送信され、例えばサブフレーム＃０の後ろの三つのシンボルの中央の６個物理リソースブロック（Ｐｈｙｓｉｃａｌ  Ｒｅｓｏｕｒｃｅ  Ｂｌｏｃｋ、ＰＲＢと略称）で送信し、実際の応用においてはこれに限定されない。一つの予め設定された周期において含む情報は不変で、例えば一つのページング周期内で含む情報は不変である。ＵＥは、前記予め設定された周期内の前記サブフレームで前記チャネル上の情報を受信して、上記特定情報を取得する。
【００７１】
実施例８
ＵＥが所定の方式で特定情報を受信し、ここで、該特定情報は少なくとも、ＥＡＢパラメーター変更通知情報を含み、所定の方式はページングメッセージによって前記特定情報を受信する方式と異なる。ここで、該所定の方式は、実施例１乃至実施例７に記載の所定の方式中の少なくとも一つであることができ、即ち、該所定の方式は、スケジューリングした既存のダウンリンク制御情報ＤＣＩによって受信する方式と、前記特定情報の送信専用のＤＣＩで受信する方式と、前記特定情報の送信専用のＤＣＩによりスケジューリングしたＰＤＳＣＨ又はＰＵＳＣＨで受信する方式と、ＭＩＢ情報によって受信する方式と、前記特定情報の送信専用のチャネルで受信する方式の中の少なくとも一つであることができる。
【００７２】
前記ＥＡＢパラメーター変更通知情報は１ｂｉｔ情報であることができ、例えば「０」でＥＡＢパラメーターが変更していないことを表し、「１」でＥＡＢパラメーターが変更されたことを表すことができ、ＵＥが受信したＥＡＢパラメーター変更通知情報が「１」であると、ＵＥは変更されたＥＡＢパラメーター情報を受信する。既存のＬＴＥシステムにおいて、ＥＡＢパラメーター情報はＳＩＢ１４に含まれ、ＵＥが受信したＥＡＢパラメーター変更通知情報が「１」であると、ＵＥはＳＩＢ１４を再度受信する。今後の実際のシステムにおいて、ＥＡＢパラメーターは新しく定義したＳＩＢに含まれることもできる。
【００７３】
他の実施例において、上記実施例及び好適な実施形態に記載の技術案を実行するためのソフトウェアを提供する。
【００７４】
他の実施例において、上記ソフトウェアが記憶される記憶媒体を提供し、当該記憶媒体は、ＣＤ、フロッピー（登録商標）、ハードディスク、消去可能なメモリ等を含むが、これらに限定されることはない。
【００７５】
上記した本発明の各手段又は各ステップを共通の計算装置によって実現することができ、単独の計算装置に集中させることができれば、複数の計算装置から構成されるネットワークに分布させることもでき、更に計算装置が実行可能なプログラムコードによって実現することもできるので、それらを記憶装置に記憶させて計算装置によって実行することができ、場合によっては、他の順で図に示す又は説明したステップを実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【００７６】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【産業上の利用可能性】
【００７７】
本発明の実施例で提供する上記技術案は、情報の送信に応用されることができ、ページングメッセージによって前記特定情報を送信する方式と異なる所定の方式で、既存技術においてＵＥに送信すべき特定情報を送信する技術手段を用いることで、既存技術においてＵＥが大量の重複する不必要なページングメッセージ等を受信しなければならない等の技術課題を解決し、ＵＥによる専用情報の受信に対する影響を低減し、大量の重複するページングメッセージの受信によるＵＥエネルギー消費問題を回避できる。
【図１】
2018506207.tif 000003
【図２】
2018506207.tif 000004
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
ユーザ機器ＵＥに送信すべき、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を確定することと、
ページングメッセージによって前記特定情報を送信する方式と異なる所定の方式で前記特定情報を前記ＵＥに送信することと、を含むダウンリンク情報の送信方法。
【請求項２】
前記所定の方式が、
既存のダウンリンク制御情報ＤＣＩをスケジューリングすることで送信する方式と、
前記特定情報の送信専用のＤＣＩによって送信する方式と、
前記特定情報の送信専用のＤＣＩによってスケジューリングした物理ダウンリンク共有チャネルＰＤＳＣＨ又は物理アップリンク共有チャネルＰＵＳＣＨで送信する方式と、
マスター情報ブロックＭＩＢ情報によって送信する方式と、
前記特定情報の送信専用のチャネルによって送信する方式の中の一つを含む
請求項１に記載の方法。
【請求項３】
既存のＤＣＩをスケジューリングすることで送信する方式が、
ページングメッセージをスケジューリングするＤＣＩによって送信する方式と、
ＵＥ専用データをスケジューリングするＤＣＩによって送信する方式の中の一つを含み、
既存のＤＣＩをスケジューリングすることで送信する方式が、
前記既存のＤＣＩに前記特定情報を乗せるためのフィールドを追加する方式と、
前記既存のＤＣＩ中の特定のフィールドを再定義する方式と、ここで、再定義した後の前記特定のフィールドは前記特定情報を指示し、
前記既存のＤＣＩ中の予備ビット、アイドルビット、特定のフィールドのアイドル状態の中の一つで前記特定情報を指示する方式と、
異なるページング無線網臨時識別子ＰーＲＮＴＩで前記既存のＤＣＩの巡回冗長検査ＣＲＣにスクランブル又はマスクドをかけて異なる前記特定情報を指示する方式の中の一つを含む
請求項２に記載の方法。
【請求項４】
前記特定情報の送信専用のＤＣＩによって送信する方式が、
専用ＰーＲＮＴＩで前記特定情報の送信専用のＤＣＩのＣＲＣにスクランブル又はマスクドをかけて前記特定情報を指示する方式と、
ＰーＲＮＴＩで前記特定情報の送信専用のＤＣＩのＣＲＣにスクランブル又はマスクドをかける方式と、
特定情報の送信専用のＤＣＩを予め設定されたサブフレームで送信する方式の中の一つを含み、
前記予め設定されたサブフレームはセルのページングタイミングである
請求項２に記載の方法。
【請求項５】
前記特定情報の送信専用のＤＣＩによって前記特定情報を送信し、
前記特定情報の送信専用のＤＣＩは少なくとも特定情報を含む
請求項２に記載の方法。
【請求項６】
前記特定情報の送信専用のＤＣＩで前記特定情報を送信する場合、前記特定情報の送信専用のＤＣＩに対応するＰＤＳＣＨ又は物理アップリンク共有チャネルＰＵＳＣＨが存在しない
請求項２に記載の方法。
【請求項７】
ＭＩＢ情報によって送信する方式が、
ＭＩＢ中のアイドルビットで前記特定情報を指示する方式と、
ＭＩＢにおいて前記特定情報を指示するためのフィールドを定義する方式と、
ＭＩＢのＣＲＣに異なるシーケンスでスクランブル又はマスクドをかけて異なる前記特定情報を指示する方式の中の一つを含む
請求項２に記載の方法。
【請求項８】
前記システムメッセージ変更情報が、一つ又は複数の動作帯域上のシステムメッセージ変更情報を含む
請求項１乃至７の中のいずれかに記載の方法。
【請求項９】
ユーザ機器ＵＥが、ページングメッセージによって前記特定情報を受信する方式と異なる所定の方式で、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を受信することを含むダウンリンク情報の受信方法。
【請求項１０】
前記所定の方式が、
スケジューリングした既存のダウンリンク制御情報ＤＣＩによって受信する方式と、
前記特定情報の送信専用のＤＣＩで受信する方式と、
前記特定情報の送信専用のＤＣＩによってスケジューリングされた物理ダウンリンク共有チャネルＰＤＳＣＨ又は物理アップリンク共有チャネルＰＵＳＣＨで受信する方式と、
マスター情報ブロックＭＩＢ情報によって受信する方式と、
前記特定情報の送信専用のチャネルで受信する方式の中の一つを含む
請求項９に記載の方法。
【請求項１１】
スケジューリングした既存のＤＣＩで受信する方式が、
スケジューリングしたページングメッセージのＤＣＩで受信する方式と、
ＵＥ専用データをスケジューリングするＤＣＩによって受信する方式の中の一つを含む
請求項１０に記載の方法。
【請求項１２】
ユーザ機器ＵＥに送信すべき、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を確定するように構成される確定手段と、
ページングメッセージによって前記特定情報を送信する方式と異なる所定の方式で、前記特定情報を前記ＵＥに送信するように構成される送信手段と、を含むダウンリンク情報の送信装置。
【請求項１３】
前記送信手段が、
既存のダウンリンク制御情報ＤＣＩをスケジューリングすることで送信する方式と、
前記特定情報の送信専用のＤＣＩによって送信する方式と、
前記特定情報の送信専用のＤＣＩによってスケジューリングした物理ダウンリンク共有チャネルＰＤＳＣＨ又は物理アップリンク共有チャネルＰＵＳＣＨで送信する方式と、
マスター情報ブロックＭＩＢ情報によって送信する方式と、
前記特定情報の送信専用のチャネルによって送信する方式
の中の一つの前記所定の方式で前記特定情報を送信するように構成され、
前記送信手段が、
ページングメッセージをスケジューリングするＤＣＩによって送信する方式と、
ＵＥ専用データをスケジューリングするＤＣＩによって送信する方式
の中の一つの方式で、既存のＤＣＩをスケジューリングして前記特定情報を送信するように構成される
請求項１２に記載の装置。
【請求項１４】
ユーザ機器ＵＥに応用されるダウンリンク情報の受信装置であって、
ページングメッセージによって前記特定情報を受信する方式と異なる所定の方式で、システムメッセージ変更情報、地震や津波警報システムＥＴＷＳ通知情報、商業移動警報サービスＣＭＡＳ通知情報、拡張アクセス制御ＥＡＢパラメーター変更通知情報の中の少なくとも一つを含む特定情報を受信するように構成される受信手段を含むダウンリンク情報の受信装置。
【請求項１５】
前記受信手段が、
スケジューリングした既存のダウンリンク制御情報ＤＣＩによって受信する方式と、
前記特定情報の送信専用のＤＣＩで受信する方式と、
前記特定情報の送信専用のＤＣＩによってスケジューリングした物理ダウンリンク共有チャネルＰＤＳＣＨ又は物理アップリンク共有チャネルＰＵＳＣＨで受信する方式と、
マスター情報ブロックＭＩＢ情報によって受信する方式と、
前記特定情報の送信専用のチャネルで受信する方式
の中の一つの前記所定の方式で前記特定情報を受信するように構成され、
前記受信手段が、
スケジューリングしたページングメッセージのＤＣＩで受信する方式と、
ＵＥ専用データをスケジューリングするＤＣＩによって受信する方式
の中の一つの方式で、既存のＤＣＩをスケジューリングすることで記特定情報を受信するように構成される
請求項１４に記載の装置。
【国際調査報告】
2018506207.tif 000005
2018506207.tif 000006
2018506207.tif 000007
2018506207.tif 000008